(57)【特許請求の範囲】
【請求項１】
本体(11)の内部に画成した機械室(15)に圧縮機(32)や凝縮器(30)等からなる冷凍機構(13)を備え、前記凝縮器(30)に隣接して設けた冷却ファン(31)の回転により、本体(11)に穿設した複数の吸込口(27)を介して外部空気を吸込んで凝縮器(30)の空冷作用を営み、熱交換後の空気を本体(11)に設けた複数の排出口を介して外部に排出するようにした装置において、
前記冷却ファン(31)を囲繞するファンカバー(31)の前側に、各種操作部(34,35)の配設面を前側に向けた姿勢で電装箱(14)を配設し、
前記機械室(15)の前方に開放する開口部(36)を開閉自在に閉成するフロントパネル(37)の機械室側の後面に、前記電装箱(14)の配設面に当接すると共に、各種操作部(34,35)を囲繞する遮蔽部材(44)を配設した
ことを特徴とする冷凍機構を備えた装置。
【請求項２】
前記遮蔽部材(44)は、弾性を有する部材で形成されている請求項１記載の冷凍機構を備えた装置。
【請求項３】
前記フロントパネル(37)は、前記開口部(36)を覆い得る寸法に設定した前板(38)の下部後面に、開口部(36)から機械室(15)に挿入される支持部(39)が設けられると共に、該支持部(39)に、機械室(15)の内底面に突設した突起(23a)に遊嵌される貫通孔(39a)が穿設され、該貫通孔(39a)を突起(23a)に遊嵌した状態で、前記前板(38)の上部を本体(11)にネジ止めするよう構成される請求項１または２記載の冷凍機構を備えた装置。
【請求項４】
前記突起(23a)の突出高さは、前記フロントパネル(37)を上部のネジ止めを解除した状態で、該突起(23a)に貫通孔(39a)が係合してフロントパネル(37)を斜めに保持し得る寸法に設定されている請求項３記載の冷凍機構を備えた装置。
【請求項５】
前記突起は、前記機械室(15)を画成する支柱(21)を、前記冷凍機構(13)が設置される台板(22)に固定するためのボルト(23)の頭部(23a)である請求項３または４記載の冷凍機構を備えた装置。
【発明の詳細な説明】
【０００１】
【発明の属する技術分野】
この発明は、冷凍機構を備えた装置に関し、更に詳細には、機械室に配設した凝縮器を、外部から吸込んだ空気により効率的に冷却し得るようにした冷凍機構を備えた装置に関するものである。
【０００２】
【従来の技術】
食料品店やコンビニエンスストア等で、食品や飲料品等を冷蔵状態で収納して陳列する、キャビネットを縦長に構成した冷蔵ショーケースが好適に使用されている。この冷蔵ショーケースは、縦長に形成した箱状の本体(キャビネット)の内部に、食材を冷却貯蔵するための収納室と機械室とが上下の関係で画成されている。機械室の内部には、凝縮器、冷却ファンおよび圧縮機等からなる冷凍機構や各種電装品を収容した電装箱が配設されており、冷凍機構により収納室を冷却するための冷却器を冷却するようになっている。凝縮器としては、一般にフィンアンドチューブ形が用いられ、凝縮器と圧縮機との間に配設した冷却ファンの運転により、凝縮器および圧縮機等の発熱部の強制空冷が行なわれる。
【０００３】
前述した空冷式凝縮器を備える冷蔵ショーケースでは、一般に機械室の側面を覆う側面パネルに、凝縮器と対向する位置に空気吸込用の吸込口が複数穿設されると共に、機械室を画成する反対側の側面パネルや背面パネル等に、夫々排出口が穿設される。そして、冷却ファンの回転により吸込口から吸込まれた外部空気は、先ず凝縮器に接触してこれを冷却し、次いで前記圧縮機に接して冷却した後に、温風(空気)として各排出口から外部に排出されるようになっている。
【０００４】
【発明が解決しようとする課題】
前記冷蔵ショーケースでは、冷凍機構のメンテナンスを行なうための開口部が、本体における機械室の前面に開設されており、この開口部はフロントパネルで開閉自在に閉成されるよう構成してある。この場合において、機械室に配設した凝縮器とフロントパネルとの間には隙間があり、前記冷却ファンから吹出された温風の一部が、前記隙間を介して凝縮器の吸込側から再び吸込まれる、いわゆる回り込み現象を生じていた。そして、このようなときには、凝縮器や圧縮機等の発熱部の有効な冷却が阻害され、凝縮器の冷却不足による冷却能力の低下を招来する重大な問題があった。また、発熱部の冷却不足に伴って機械室の内部温度が高くなり、前記電装箱に収容した各種電装品が発熱して誤作動や故障が発生する欠点も指摘される。
【０００５】
前記冷蔵ショーケースでは、その冷却運転時に収納室の内部温度と外気温や外湿度との違いにより、収納室の前方開口部を開閉自在に閉成するよう前記本体に配設された扉の外表面(前面)に結露を生じることは避けられず、この結露水が扉の外表面を流下して前記フロントパネルに至ることがある。この場合に、本体に対して着脱自在に配設されるフロントパネルと本体との重なり部分には不可避的に隙間を生じており、この隙間から結露水が機械室内に浸入し、内部に配設されている前記電装箱の電装品や結線部等を濡らしてしまい、腐食や漏電等の原因となるおそれがあった。また、本体を洗浄する洗浄水が、フロントパネルと本体との隙間を介して機械室内に浸入し、同様に電装品や結線部等の腐食や漏電等の原因となる場合もある。
【０００６】
なお、前記フロントパネルは、一般に上部および下部を複数のネジを介して本体に固定しているため、ネジ止め作業が多くなる難点がある。しかも、取付けや取外しに際しては、上部または下部のネジ止めを行なうまで、作業者はフロントパネルを手や膝等で支持する必要があり、その作業が煩雑であった。
【０００７】
【発明の目的】
本発明は、前述した従来の技術に内在している前記欠点に鑑み、これを好適に解決するべく提案されたものであって、機械室内に配設された凝縮器の効率的な冷却を達成し得ると共に、結露水等による電装品等の腐食や漏電等の発生を防止し得る冷凍機構を備えた装置を提供することを目的とする。
【０００８】
【課題を解決するための手段】
前記課題を克服し、所期の目的を達成するため、本発明に係る冷凍機構を備えた装置は、
本体の内部に画成した機械室に圧縮機や凝縮器等からなる冷凍機構を備え、前記凝縮器に隣接して設けた冷却ファンの回転により、本体に穿設した複数の吸込口を介して外部空気を吸込んで凝縮器の空冷作用を営み、熱交換後の空気を本体に設けた複数の排出口を介して外部に排出するようにした装置において、
前記冷却ファンを囲繞するファンカバーの前側に、各種操作部の配設面を前側に向けた姿勢で電装箱を配設し、
前記機械室の前方に開放する開口部を開閉自在に閉成するフロントパネルの機械室側の後面に、前記電装箱の配設面に当接すると共に、各種操作部を囲繞する遮蔽部材を配設したことを特徴とする。
【０００９】
【発明の実施の形態】
次に、本発明に係る冷凍機構を備えた装置につき、好適な実施例を挙げて、添付図面を参照しながら以下説明する。なお、冷凍機構を備えた装置として、実施例では冷蔵ショーケースを挙げて説明するが、本願はこれに限定されるものでなく、冷凍機構を備えた装置は、各種冷蔵庫あるいは製氷機等であってもよい。
【００１０】
図２および図３に示す如く、実施例に係る冷蔵ショーケース１０は、縦長に形成した箱状の本体１１の内部には、食品や飲料品等を冷蔵するための収納室１２と、冷凍機構１３や電装箱１４を収納する機械室１５とが上下の関係で画成されている。上側の収納室１２は、内装板と外装板との間にウレタン等の発泡断熱材を充填してなる断熱箱体１６の内部に画成される。この断熱箱体１６の前部には、図３に示す如く、前方に開放する矩形状の開口部１６ａが形成され、該開口部１６ａの内周上部および下部には、その幅方向の全長に亘って、合成樹脂製の上レール１７および下レール１８が対応的に配設される。そして、両レール１７,１８間に、前扉１９および後扉２０が夫々幅方向にスライド自在に支持されて、開口部１６ａを開閉し得るよう構成してある。
【００１１】
前記断熱箱体１６の下面４隅に、夫々支柱２１の上端がボルト固定されると共に、４本の支柱２１の下端は、その下端水平部２１ａが、冷凍機構１３が設置される台板２２に、上側(機械室１５の内底面)に頭部２３ａを突出させたボルト２３を介して夫々固定されている(図１参照)。そして、断熱箱体１６の左右両側面および背面に配設された左右の側面パネル２４,２５および背面パネル２６の夫々の下端が、台板２２まで延在することで、台板２２と断熱箱体１６との間に機械室１５が画成されるようになっている。また、図２において右側に位置する右側面パネル２５には、機械室１５と対応する位置に複数の吸込口２７が穿設されると共に、左側に位置する左側面パネル２４には、同じく機械室１５と対応する位置に複数の排出口(図示せず)が穿設されている。
【００１２】
前記断熱箱体１６の内部下方に、図３に示す如く、冷凍機構１３から冷媒が循環供給される冷却器２８と冷気循環用のファン２９が配設され、ファン２９の運転により送気される冷気によって収納室１２を冷却するよう構成される。また前記台板２２上には、図１に示す如く、前記冷却器２８を冷却するための冷凍機構１３を構成する凝縮器３０、複数(実施例では２基)の冷却ファン３１および圧縮機３２が、機械室１５の右側から左側に向けて順に配置されている。冷却ファン３１は、凝縮器３０の吹出側(左側)を覆うファンカバー３３で囲繞されており、前記右側面パネル２５の吸込口２７から吸込まれた外部空気を、凝縮器３０に効率的に導びくよう構成される。なお、凝縮器３０やファンカバー３３の高さ寸法は、機械室１５の高さ寸法より僅かに小さく設定され、凝縮器３０やファンカバー３３の上面と断熱箱体１６の底面との間には僅かな隙間のみが画成されるようになっている。
【００１３】
前記ファンカバー３３の前側には、冷蔵ショーケース１０の運転制御を行なうマイコンボード等の電装品を収容した電装箱１４が、該カバー３３に接するようにして配設されている。この電装箱１４の前側を向く配設面(前面)には、内部の電装品を操作するための温度設定ノブ３４や電源スイッチ３５等の操作部が設けられ、該操作部を前側から操作し得るよう構成される。
【００１４】
前記機械室１５の前側には、断熱箱体１６、左右の支柱２１,２１および台板２２により、前方に開放する開口部３６が画成され、該開口部３６を介して前記電装箱１４の温度設定ノブ３４や電源スイッチ３５を操作したり、冷凍機構１３のメンテナンスを行ない得るようになっている。そして、この開口部３６は、フロントパネル３７により開閉自在に閉成されるよう構成される。このフロントパネル３７は、図４に示す如く、前記開口部３６を覆い得る寸法に設定した矩形状の前板３８の下部後面(機械室１５を指向する面)に、後方に向けて水平に延出する支持部３９が、開口部３６の幅方向に所定長さで形成されている。この支持部３９は、開口部３６から機械室１５に挿入されて、前記台板２２の上面に支柱２１の下端水平部２１ａを介して当接載置され、この状態で前板３８の上部が前記下レール１８の前面に当接するよう設定される。また支持部３９には、前記前側左右の支柱２１,２１を台板２２に固定するためのボルト２３,２３の頭部(突起)２３ａ,２３ａと対応する位置に、各頭部２３ａに遊嵌可能な内径に設定された貫通孔３９ａが夫々穿設されている(図７参照)。そして、各貫通孔３９ａを対応するボルト２３の頭部２３ａに遊嵌すると共に、前板３８の上部を前記下レール１８の前面に当接した状態で、該前板３８の上部を複数の化粧ネジ４０を介して下レール１８にネジ止め固定することで、当該フロントパネル３７が本体１１に固定される。
【００１５】
なお、前記ボルト２３における頭部２３ａの機械室内底面からの突出高さは、前記フロントパネル３７の上部のネジ止めを解除した状態で、図５に示す如く、該頭部２３ａに貫通孔３９ａが係合して、フロントパネル３７を上端が本体１１から離間する斜めの姿勢に保持し得る寸法に設定されている。すなわち、フロントパネル３７の本体１１に対する取付けや取外し時に、作業者はフロントパネル３７を手や膝等で支持することなく作業を行ない得るよう構成される。
【００１６】
前記フロントパネル３７の後面には、図１および図４に示す如く、前記電装箱１４と対応する位置に、幅方向に離間する一対の側部遮蔽体４１,４２および両側部遮蔽体４１,４２の上端間に位置する上部遮蔽体４３とから構成される遮蔽部材４４が配設されている。この遮蔽部材４４は、フロントパネル３７で開口部３６を閉成したときに、その後面が電装箱１４の配設面(前面)に当接するよう設定される。また遮蔽部材４４の上端は、電装箱１４の上端近傍まで延在し、電装箱１４とフロントパネル３７との間に画成される隙間を遮蔽し、前記冷却ファン３１から吹出された熱交換後の温風(空気)が凝縮器３０の空気吸込側に回り込むのを防止するよう構成してある。なお遮蔽部材４４は、軟質な合成樹脂やゴム等の弾性を有する部材により、その突出寸法が設計上の隙間より大きくなるよう設定され、フロントパネル３７や電装箱１４の加工精度や組付け精度等により隙間にバラツキがあっても、常に電装箱１４の配設面に当接して該隙間を遮蔽し得るよう構成される。
【００１７】
前記両側部遮蔽体４１,４２の下端は前記支持部３９に当接しており、フロントパネル３７で開口部３６を閉成した状態で、遮蔽部材４４および支持部３９で、前記電装箱１４の配設面に臨む温度設定ノブ３４や電源スイッチ３５等の操作部を囲繞するよう構成される。すなわち、前記扉１９,２０を流下する結露水や洗浄水が、フロントパネル３７と下レール(本体１１)１８との隙間から機械室１５内に浸入しても、これら水が電装箱１４の操作部に掛かって濡らすのを確実に防止するようになっている。また図６に示す如く、左右の側部遮蔽体４１,４２の高さ寸法は異なるよう設定されて、上部遮蔽部体４３が幅方向に傾斜するよう構成される。これにより、機械室１５内に浸入した結露水や洗浄水を、傾斜する上部遮蔽体４３で受けて速やかに流下させ得るようになっている。
【００１８】
【実施例の作用】
次に、実施例に係る冷蔵ショーケースの作用につき説明する。前記冷却ファン３１を回転させると、図１に示す如く、前記右側面パネル２５に穿設した複数の吸込口２７を介して外部空気が機械室１５内に吸込まれる。この空気は、凝縮器３０の空気吸込側から吸込まれて熱交換を行なった後、冷却ファン３１から圧縮機３２に向けて吹出され、該圧縮機３２との間で熱交換した後に、左側面パネル２４に穿設した排出口を介して外部に排出される。
【００１９】
前述したように、前記ファンカバー３３の前側に配設した電装箱１４の前側の配設面には、図１および図４に示す如く、前記フロントパネル３７の遮蔽部材４４が当接して、両者間における隙間は、機械室１５の高さ寸法の略全長に亘って遮蔽されている。従って、冷却ファン３１から吹出された熱交換後の空気が、隙間を移動して凝縮器３０の空気吸込側から再び吸込まれる回り込み現象を有効に防止し得る。これにより、機械室内での過熱による凝縮器３０や圧縮機３２等の発熱部の冷却不足を防止し、凝縮器３０や圧縮機３２等の効率的な運転を達成することができる。また電装箱１４に収容した各種電装品の発熱を抑えて、誤作動や故障の発生も有効に防止し得る。
【００２０】
前記冷蔵ショーケース１０の運転により扉１９,２０に発生した結露水がフロントパネル３７の上端まで流下すると、該パネル３７と下レール１８との隙間から結露水が機械室１５内に浸入する。また、冷蔵ショーケース１０を洗浄するために用いられる洗浄水が、フロントパネル３７と下レール１８との隙間から機械室１５内に浸入することもある。この場合において、実施例の冷蔵ショーケース１０では、前記電装箱１４の配設面に設けられる温度設定ノブ３４や電源スイッチ３５等の操作部は、前記遮蔽部材４４により囲繞されているから、隙間から浸入した結露水や洗浄水が操作部に掛かるのを防止することができ、電装品等の腐食や漏電等の発生を防ぎ得る。更に、遮蔽部材４４における上部遮蔽体４３を傾斜させているから、結露水や洗浄水が遮蔽部材４４の上部に溜ることなく速やかに流下する。なお遮蔽部材４４は、軟質な合成樹脂やゴム等の弾性を有する部材で形成してあるので、フロントパネル３７や電装箱１４の加工精度や組付け精度等により隙間の大きさにバラツキがあっても、常に電装箱１４の配設面に当接して該隙間を遮蔽し得る。
【００２１】
前記機械室１５に配設した冷凍機構１３のメンテナンスや電装箱１４の操作部を操作する際には、前記フロントパネル３７を本体１１から取外す必要がある。この場合に、実施例のフロントパネル３７は、前記支持部３９の貫通孔３９ａを機械室１５内のボルト２３の頭部２３ａに係合させた状態で斜めに保持し得るので(図５参照)、作業者は手や膝等を用いてフロントパネル３７を支持する必要はなく、該パネル３７の取外しや取付け作業を簡単に行ない得る。また、取付けや取外しの際にフロントパネル３７を誤って床面に落下させることもなく、該パネル３７が傷付くのも防止し得る。更に、フロントパネル３７の下部を支持する突起として、機械室１５を画成するための支柱２１,２１を台板２２に固定するボルト２３の頭部２３ａを利用し、しかもフロントパネル３７は上部の複数個所をネジ止めすれば固定可能であるから、部品点数(化粧ネジ４０の数)を少なくすることができると共に、取付けや取外し作業の工数も低減し得る。
【００２２】
前記遮蔽部材４４はフロントパネル３７に配設されるものであるので、該パネル３７を取外せば遮蔽部材４４が操作部の操作やメンテナンスの邪魔にならない。なお、フロントパネル３７と遮蔽部材４４とを一体としたことで、前記電装箱１４の配設面を覆う蓋を別途設ける必要もない。
【００２３】
実施例では、遮蔽部材を左右と上部の３本の遮蔽体で構成したが、左右および上下の４本の遮蔽体で構成してもよい。また各遮蔽体は別体でも一体的でもよい。更に、実施例では２基の冷却ファンを配設した場合で説明したが、該ファンは１基でも３基以上であってもよい。なお、フロントパネルについては、実施例では下レールにネジ止めするようにしたが、該パネルの上部を本体(断熱箱体)にネジ止めするようにしてもよい。
【００２４】
【発明の効果】
以上説明した如く、本発明に係る冷凍機構を備えた装置によれば、ファンカバーの前側に配設した電装箱の前側の配設面に、フロントパネルの遮蔽部材を当接して両者間の隙間を遮蔽するよう構成したので、冷却ファンから吹出された熱交換後の空気が、凝縮器の空気吸込側から再び吸込まれる回り込み現象を有効に防止し得る。これにより、機械室内での過熱による凝縮器や圧縮機等の発熱部の冷却不足を防止し、凝縮器や圧縮機等の効率的な運転を達成することができる。また電装箱に収容した各種電装品の発熱を抑えて、誤作動や故障の発生を有効に防止し得る効果も奏する。
【００２５】
前記電装箱の配設面に設けられる操作部を遮蔽部材で囲繞しているから、フロントパネルと本体との隙間から機械室内に浸入した結露水や洗浄水が操作部に掛かるのを防止することができ、電装品等の腐食や漏電等の発生を防ぎ得る。また、遮蔽部材４４を弾性を有する部材で形成してあるので、フロントパネルや電装箱の加工精度や組付け精度等により隙間にバラツキがあっても、常に電装箱の配設面に当接して該隙間を遮蔽し得る。
【００２６】
前記フロントパネルを、支持部の貫通孔を機械室内の突起に係合させた状態で斜めに保持し得るので、作業者が手や膝等を用いてフロントパネルを支持する必要はなく、該パネルの取外しや取付け作業を簡単に行なうことができる。しかも、突起として、機械室を画成するための支柱を台板に固定するボルトの頭部を利用するので、部品点数および作業工数を低減することができる。
【図面の簡単な説明】
【図１】 本発明の実施例に係る冷蔵ショーケースを示す横断平面図である。
【図２】 実施例の冷蔵ショーケースを一部切欠いて示す正面図である。
【図３】 実施例の冷蔵ショーケースを一部縦断して示す側面図である。
【図４】 実施例の本体にフロントパネルを固定した状態で示す要部側断面図である。
【図５】 実施例の本体に対してフロントパネルを斜めに保持させた状態で示す要部側断面図である。
【図６】 実施例のフロントパネルの背面図である。
【図７】 実施例のフロントパネルとボルトの頭部との係合部位を示す要部側断面図である。
【符号の説明】
１０ 本体，１３ 冷凍機構，１４ 電装箱，１５ 機械室，２１ 支持
２２ 台板，２３ ボルト，２３ａ 頭部(突起)，２７ 吸込口，３０ 凝縮器
３１ 冷却ファン，３２ 圧縮機，３３ ファンカバー
３４ 温度設定ノブ(操作部)，３５ 電源スイッチ(操作部)
３６ 開口部，３７ フロントパネル，３８ 前板，３９ 支持部
３９ａ 貫通孔，４４ 遮蔽部材
【図１】
0003670154.tif 000002
【図２】
0003670154.tif 000003
【図３】
0003670154.tif 000004
【図４】
0003670154.tif 000005
【図５】
0003670154.tif 000006
【図６】
0003670154.tif 000007
【図７】
0003670154.tif 000008